(57)【要約】【課題】小型化を図ることができる測定機器を提供する。【解決手段】人体に装着可能な測定機器であって、表示部と、前記人体および前記表示部に対し光を照射する発光部と、前記人体からの光を受ける受光部と、前記表示部の駆動を制御する表示制御部と、を含む、測定機器。【選択図】図５
2019010144.tif 000002
【特許請求の範囲】
【請求項１】
人体に装着可能な測定機器であって、
表示部と、
前記人体および前記表示部に対し光を照射する発光部と、
前記人体からの光を受ける受光部と、
前記表示部の駆動を制御する表示制御部と、
を含む、測定機器。
【請求項２】
請求項１において、
前記発光部は、
光源と、
前記光源から出射された光により、光を発する蛍光体と、
を有する、測定機器。
【請求項３】
請求項２において、
前記蛍光体を間に挟む第１基板および第２基板を含み、
前記１基板は、前記蛍光体と前記光源との間に設けられ、
前記第１基板には、前記光源から出射された光の一部を透過させ、前記光源から出射された光の一部を反射させる膜が設けられ、
前記膜は、前記第１基板と前記光源との間に設けられている、測定機器。
【請求項４】
請求項３において、
前記光源から出射された光に対する前記膜の反射率は、前記蛍光体で発生した光に対する前記膜の反射率よりも高い、測定機器。
【請求項５】
請求項３において、
前記光源から出射された光に対する前記膜の反射率は、前記蛍光体で発生した光に対する前記膜の反射率よりも低い、測定機器。
【請求項６】
請求項２ないし５のいずれか１項において、
前記光源は、青色の光を出射し、
前記蛍光体は、黄色の光を発生する、測定機器。
【請求項７】
請求項１ないし６のいずれか１項において、
前記発光部と前記受光部との間に設けられた遮光部を含む、測定機器。
【請求項８】
請求項１ないし７のいずれか１項において、
前記発光部は、前記発光部から出射された光に対して透明な基板に設けられ、
前記表示部は、前記基板の前記発光部側とは反対側に設けられている、測定機器。
【請求項９】
請求項１ないし８のいずれか１項において、
前記発光部は、パルス光を出射する、測定機器。
【発明の詳細な説明】
【技術分野】
【０００１】
本発明は、測定機器に関する。
【背景技術】
【０００２】
近年、腕時計のように人体に装着するタイプのウェアラブル端末が普及している。このようなウェアラブル端末の中には、人体に光を照射することにより、脈拍やＳｐＯ２（経皮的動脈血酸素飽和度）など生体情報を取得できるものがある（例えば特許文献１参照）。このようなウェアラブル端末は、取得した生体情報を表示するためのディスプレイを有している。
【先行技術文献】
【特許文献】
【０００３】
【特許文献１】特開２０１６−４７０７３号公報
【発明の概要】
【発明が解決しようとする課題】
【０００４】
しかしながら、上記のようなウェアラブル端末（測定機器）では、生体情報を取得するために人体に光を照射する光源と、ディスプレイ（表示部）に光を照射する光源と、が別々に設けられている。そのため、機器が大型になる場合がある。
【０００５】
本発明のいくつかの態様に係る目的の１つは、小型化を図ることができる測定機器を提供することにある。
【課題を解決するための手段】
【０００６】
本発明に係る測定機器は、
人体に装着可能な測定機器であって、
表示部と、
前記人体および前記表示部に対し光を照射する発光部と、
前記人体からの光を受ける受光部と、
前記表示部の駆動を制御する表示制御部と、
を含む。
【０００７】
このような測定機器では、人体に光を照射する光源と、表示部に光を照射する光源と、を別々に設けずに、１つの発光部によって人体および表示部に光を照射することができる。したがって、このような測定機器では、部品点数を削減することができ、小型化を図ることができる。
【０００８】
本発明に係る測定機器において、
前記発光部は、
光源と、
前記光源から出射された光により、光を発する蛍光体と、
を有してもよい。
【０００９】
このような測定機器では、蛍光体で発生した光であって、人体側とは反外側に向けて進行する光によって、表示部を照射することができる。したがって、このような測定機器では、蛍光体で発生した光であって、人体側とは反外側に向けて進行する光が無駄になることを抑制することができる。
【００１０】
本発明に係る測定機器において、
前記蛍光体を間に挟む第１基板および第２基板を含み、
前記１基板は、前記蛍光体と前記光源との間に設けられ、
前記第１基板には、前記光源から出射された光の一部を透過し、前記光源から出射された光の一部を反射する膜が設けられ、
前記膜は、前記第１基板と、前記光源との間に設けられていてもよい。
【００１１】
このような測定機器では、光源から出射された光であって、膜において反射した光を、表示部に照射させることができる。
【００１２】
本発明に係る測定機器において、
前記光源から出射された光に対する前記膜の反射率は、前記蛍光体で発生した光に対する前記膜の反射率よりも高くてもよい。
【００１３】
このような測定機器では、光源から出射された光によって表示部が照射される光量を、多くすることができる。
【００１４】
本発明に係る測定機器において、
前記光源から出射された光に対する前記膜の反射率は、前記蛍光体で発生した光に対する前記膜の反射率よりも低くてもよい。
【００１５】
このような測定機器では、光源から出射された光によって蛍光体が照射される光量を、大きくすることができる。これにより、人体に照射される蛍光体で発生した光の量を大きくすることができる。
【００１６】
本発明に係る測定機器において、
前記光源は、青色の光を出射し、
前記蛍光体は、黄色の光を発生してもよい。
【００１７】
このような測定機器では、光源から出射された光および蛍光体で発生した光によって表示部を照射する場合に、白色光によって表示部を照射することができる。
【００１８】
本発明に係る測定機器において、
前記発光部と前記受光部との間に設けられた遮光部を含んでもよい。
【００１９】
このような測定機器では、発光部から出射された光が、人体を介さずに直接受光部において受光されることを抑制することができる。
【００２０】
本発明に係る測定機器において、
前記発光部は、前記発光部から出射された光に対して透明な基板に設けられ、
前記表示部は、前記基板の前記発光部側とは反対側に設けられていてもよい。
【００２１】
このような測定機器では、発光部から照射された光は、基板を透過して、表示部を照射することができる。
【００２２】
本発明に係る測定機器において、
前記発光部は、パルス光を出射してもよい。
【００２３】
このような測定機器では、連続的に光を出射する場合に比べて、消費電力を抑えつつ、
瞬間的な光の出力を高くすることができる。これにより、消費電力を抑えつつ、人体から得られる生体信号を、瞬間的にノイズに対して相対的に大きくすることができる。
【図面の簡単な説明】
【００２４】
【図１】第１実施形態に係る測定機器を模式的に示す斜視図。
【図２】第１実施形態に係る測定機器を模式的に示す平面図。
【図３】第１実施形態に係る測定機器を模式的に示す平面図。
【図４】第１実施形態に係る測定機器の機能ブロック図。
【図５】第１実施形態に係る測定機器のセンサー部を模式的に示す斜視図。
【図６】第１実施形態に係る測定機器のセンサー部を模式的に示す断面図。
【図７】第１実施形態の変形例に係る測定機器のセンサー部を模式的に示す断面図。
【図８】第２実施形態に係る測定機器の機能ブロック図。
【図９】第２実施形態に係る測定機器のセンサー部を模式的に示す斜視図。
【発明を実施するための形態】
【００２５】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２６】
１．  第１実施形態
１．１．  測定機器
１．１．１．  構成
まず、第１実施形態に係る測定機器について、図面を参照しながら説明する。図１は、第１実施形態に係る測定機器１００を模式的に示す斜視図である。図２および図３は、第１実施形態に係る測定機器１００を模式的に示す平面図である。図４は、第１実施形態に係る測定機器１００の機能ブロック図である。なお、図２は、測定機器１００の、人体Ｍ側とは反対側（表側）を示す平面図であり、図３は、測定機器１００の、人体Ｍ側（裏側）を示す平面図である。
【００２７】
測定機器１００は、人体に装着可能な測定機器である。図１に示す例では、測定機器１００は、人体Ｍの手首（リスト）に装着する携帯型の情報端末装置である。測定機器１００は、例えば、非侵襲で光学的にユーザー（人体Ｍ）の脈拍を測定する。血管の収縮時には、ヘモグロビンの光の吸収が小さくなり、血管の拡張時には、ヘモグロビンの光の吸収が大きくなる。このような脈動による血液中のヘモグロビンの光吸収の変化を検出して、測定機器１００は、例えば、脈拍を測定する。
【００２８】
測定機器１００は、図１〜図３に示すように、手首に装着可能な環状のベルト１１０と、ベルト１１０に取り付けられた本体ケース１２０と、を含む。
【００２９】
本体ケース１２０には、表示部１２２およびセンサー部１０が組み込まれている。表示部１２２は、本体ケース１２０の人体Ｍ側とは反対側に設けられる。センサー部１０は、本体ケース１２０の人体Ｍ側に設けられる。センサー部１０は、例えば、人体Ｍと接して設けられる。本体ケース１２０には、さらに、操作ボタン１２３や、制御部１２４などの回路系、電源としての電池などが組み込まれている。
【００３０】
測定機器１００は、図４に示すように、表示部１２２と、制御部１２４と、記憶部１２５と、出力部１２６と、通信部１２７と、センサー部１０と、を有している。
【００３１】
センサー部１０は、発光部３０と、受光部４０と、を有している。発光部３０および受
光部４０は、それぞれ制御部１２４に電気的に接続されている。制御部１２４は、発光部３０を駆動して光Ｌ１を出射させる。光Ｌ１は、人体Ｍの内部に伝播して散乱したり吸収を受けたりする。センサー部１０は、人体Ｍの内部で散乱された光Ｌ１の一部を光Ｌ２として受光部４０で受光することができる構成となっている。なお、センサー部１０の詳細な構成については、後述する。
【００３２】
制御部１２４は、受光部４０により受光した光Ｌ２の情報を記憶部１２５に記憶させる。そして、制御部１２４は、光Ｌ２の情報を出力部１２６で処理させる。出力部１２６は、光Ｌ２の情報を、脈拍に変換して出力する。制御部１２４は、脈拍の情報を表示部１２２に表示させる。制御部１２４は、表示部１２２の駆動を制御する表示制御部である。測定機器１００は、例えば、脈拍の情報を通信部１２７から他の情報処理装置に送信することができる。
【００３３】
制御部１２４は、通信部１２７を介して、他の情報処理装置からプログラムなどの情報を受け取って記憶部１２５に記憶させることができる。通信部１２７は、有線によって他の情報処理装置と接続される有線通信手段でもよいし、ブルートゥース（Ｂｌｕｅ  ｔｏｏｔｈ（登録商標））などの無線通信手段であってもよい。なお、制御部１２４は、脈拍の情報を表示部１２２に表示させるだけでなく、記憶部１２５に予め記憶させたプログラムなどの情報や、現在時刻などの情報を表示部１２２に表示させてもよい。記憶部１２５は、脱着可能なメモリーであってもよい。
【００３４】
表示部１２２の機能は、例えば、透過型の液晶パネル（例えばライトバルブ（Ｌｉｑｕｉｄ  Ｃｒｙｓｔａｌ  Ｌｉｇｈｔ  Ｖａｌｖｅ））などにより実現できる。制御部１２４および出力部１２６の機能は、例えば、各種プロセッサ（ＣＰＵ、ＤＳＰ等）などのハードウェアや、プログラムにより実現できる。記憶部１２５の機能は、ハードディスク、ＲＡＭ（Ｒａｎｄｏｍ  Ａｃｃｅｓｓ  Ｍｅｍｏｒｙ）などにより実現できる。
【００３５】
なお、図１に示す例では、測定機器１００を人体Ｍの手首に装着される腕時計型として説明したが、本発明に係る測定機器は、上腕に装着される上腕型、耳たぶに装着される耳たぶ型、指先に装着される指先型であってもよい。
【００３６】
１．１．２．  センサー部
次に、センサー部１０について、図面を参照しながら説明する。図５は、センサー部１０を模式的に示す斜視図である。
【００３７】
センサー部１０は、図５に示すように、基板２０と、発光部３０と、受光部４０と、遮光部５０と、を含む。
【００３８】
基板２０は、発光部３０から出射された光に対して透明な基板である。具体的には、基板２０は、発光部３０から出射された光であって、表示部１２２に向かう光を透過させることができる透明な基板である。基板２０は、例えば、サファイア基板、ＧａＮ基板、ポリエチレンテレフタレートからなるフレキシブル基板などである。
【００３９】
発光部３０は、基板２０に設けられている。発光部３０は、基板２０の第１面２２側に設けられている。発光部３０は、人体Ｍおよび表示部１２２に対し光を照射する。図示の例では、発光部３０は、人体Ｍ（具体的には血管Ｂ）に光Ｌ１を照射し、表示部１２２に光Ｌ３を照射している。発光部３０は、光源３２と、蛍光体３４と、を有している。
【００４０】
光源３２は、基板２０に設けられている。光源３２は、蛍光体３４に向けて、例えば青色の光を出射する。光源３２から出射される光の波長は、例えば、４５０ｎｍ以上４９５
ｎｍ以下である。光源３２は、例えば、ＬＥＤ（ｌｉｇｈｔ  ｅｍｉｔｔｉｎｇ  ｄｉｏｄｅ）、レーザーなどの発光素子である。基板２０は、光源３２を構成する半導体層を結晶成長させるための基板であってもよい。すなわち、基板に、光源３２を構成する半導体層を結晶成長させた後、該基板から該半導体層を剥がさずに、該基板を基板２０として用いてもよい。制御部１２４は、光源３２をパルス駆動させてもよい。これにより、発光部３０は、人体Ｍにパルス光を照射してもよい。
【００４１】
蛍光体３４は、光源３２から出射された光により、光を発する。具体的には、蛍光体３４は、光源３２から出射された光により励起されて、黄色の光を発する。蛍光体３４が発する光の波長は、例えば、５７０ｎｍ以上５９０ｎｍ以下である。蛍光体３４の材質は、例えば、Ｃｅ３＋がドープされたＹＡＧ（Ｙ３Ａｌ５Ｏ１２）などである。蛍光体３４において発生し、人体Ｍ側に向かう光は、光Ｌ１として人体Ｍを照射する。光源３２は、蛍光体３４と基板２０との間に設けられている。
【００４２】
なお、蛍光体３４は、微小粒子化されたＣｄＳｅなどの量子ドット蛍光体であってもよい。この場合、蛍光体３４が発する光の線幅が狭くなるため、検出精度の向上や表示色域の拡大が可能となる。
【００４３】
蛍光体３４は、支持部材に設けられている。ここで、図６は、蛍光体３４を挟持している支持部材３６を模式的に示す断面図である。なお、便宜上、図５では、支持部材３６の図示を省略している。また、図６では、光源３２、蛍光体３４、および支持部材３６以外の部材の図示を省略している。
【００４４】
支持部材３６は、例えば、図６に示すように、支持基板（第１基板）３６ａと、第１膜３６ｂと、第２膜３６ｃと、支持基板（第２基板）３６ｄと、を有している。支持基板３６ａと支持基板３６ｄとは、蛍光体３４を挟持している（蛍光体３４を間に挟んでいる）。第１膜３６ｂは、支持基板３６ａの光源３２側に設けられている。第２膜３６ｃは、支持基板３６ｄの蛍光体３４とは反対側（人体Ｍ側）に設けられている。支持基板３６ａおよび支持基板３６ｄは、例えば、光源３２から出射された光Ｌ、および蛍光体３４で発生した光を透過する。支持基板３６ａおよび支持基板３６ｄの材質は、例えば、ポリカーボネートである。第１膜３６ｂおよび第２膜３６ｃは、例えば、ＳｉＯ２層、Ｔａ２Ｏ５層、Ａｌ２Ｏ３層、ＴｉＮ層、ＴｉＯ２層、ＳｉＯＮ層、ＳｉＮ層、ＡｌＯＮ層、ＡｌＮ層など誘電体多層膜である。
【００４５】
支持部材３６の支持基板３６ａおよび第１膜３６ｂは、光源３２と蛍光体３４との間に設けられている。第１膜３６ｂは、例えば、光源３２から出射された光Ｌの一部を透過させ、光源３２から出射された光Ｌの一部（他の一部、支持部材３６を透過した光の一部とは異なる一部）を反射させる。第１膜３６ｂは、例えば、光源３２から出射された光Ｌに対して、ハーフミラーとして機能する。第１膜３６ｂは、支持基板３６ａと光源３２との間に設けられている。支持部材３６の支持基板３６ｄおよび第２膜３６ｃは、蛍光体３４と人体Ｍとの間に設けられている。第２膜３６ｃは、例えば、蛍光体３４で発生した光を透過させ、光源３２から出射され蛍光体３４を透過した光を反射する。第２膜３６ｃは、例えば、蛍光体３４で発生した光に対して、反射防止（ＡＲ）膜として機能する。なお、光源３２から出射された光Ｌに対して、第１膜３６ｂがＡＲ膜として機能し、第２膜３６ｃがハーフミラーまたは高反射（ＨＲ）膜として機能してもよい。
【００４６】
光源３２から出射された光Ｌであって、支持基板３６ａおよび第１膜３６ｂを透過した光は、蛍光体３４を照射する。光源３２から出射された光Ｌであって、支持基板３６ａまたは第１膜３６ｂ反射された光は、光Ｌ３として、表示部１２２を照射する。
【００４７】
光源３２から出射された光Ｌに対する第１膜３６ｂの反射率は、例えば、蛍光体３４で発生した光に対する第１膜３６ｂの反射率よりも高い。例えば、第１膜３６ｂは、光源３２から出射された光Ｌに対してハーフミラーとして機能し、かつ、蛍光体３４で発生した光に対して反射防止（ＡＲ）膜として機能する。さらに、第２膜３６ｃは、光源３２から出射された光Ｌ、および蛍光体３４で発生した光に対してＡＲ膜として機能する。
【００４８】
なお、第１膜３６ｂは、光源３２から出射された光Ｌ、および蛍光体３４で発生した光に対してＡＲ膜として機能し、第２膜３６ｃは、光源３２から出射された光Ｌに対してハーフミラーまたは高反射（ＨＲ）膜として機能し、かつ、蛍光体３４で発生した光に対して反射防止（ＡＲ）膜として機能してもよい。
【００４９】
また、支持部材３６の反射率は、支持部材３６および反射媒体（金属ミラーなどの反射スペクトルが既知の反射媒体）に向けて同じ光を個別に照射し、該光のうち支持部材３６または反射媒体において反射された光の強度比から、反射率を算出することができる。
【００５０】
蛍光体３４で発生した光であって、支持部材３６の支持基板３６ａおよび第１膜３６ｂを透過した光は、光Ｌ３として、表示部１２２を照射する。すなわち、光Ｌ３は、光源３２から出射されて支持部材３６の支持基板３６ａまたは第１膜３６ｂにおいて反射された光と、蛍光体３４で発生し支持部材３６の支持基板３６ａまたは第１膜３６ｂを透過した光とが、混合された光であってもよい。
【００５１】
発光部３０から出射され、表示部１２２に向かう光Ｌ３は、基板２０を透過して、光学素子６０に入射する。光学素子６０は、例えば、拡散板、導光板、マイクロレンズアレイなどである。光学素子６０は、基板２０と表示部１２２との間に設けられている。光学素子６０から出射された光Ｌ３は、表示部１２２を照射する。光学素子６０は、光Ｌ３の強度の均一性を高くすることができる。光学素子６０および表示部１２２は、基板２０の第２面２４側（発光部３０側とは反対側）に設けられている。第２面２４は、第１面２２とは反対側の面である。
【００５２】
受光部４０は、基板２０に設けられている。受光部４０は、基板２０の第１面２２側に設けられている。受光部４０は、人体からの光Ｌ２を受ける（受光する）。具体的には、受光部４０は、人体Ｍに入射した光Ｌ１であって、人体Ｍの内部で散乱された光Ｌ１のうち、人体Ｍから受光部４０に向けて出射された光Ｌ２を受光する。光Ｌ２は、脈動によって生じる吸収量変化によって光量が変調され、脈動回数である脈拍の情報（脈波の信号）を含んでいる。受光部４０は、例えば、フォトダイオード（ＰＤ）である。
【００５３】
遮光部５０は、基板２０に設けられている。遮光部５０は、基板２０の第１面２２側に設けられている。遮光部５０は、発光部３０と受光部４０との間に設けられている。遮光部５０の形状は、板状である。遮光部５０は、発光部３０から照射された光Ｌ１，Ｌ３を遮光する。遮光部５０の材質は、光Ｌ１，Ｌ３を遮光することができれば特に限定されないが、例えば、合成樹脂などである。なお、光Ｌ１，Ｌ３が人体Ｍを介さずに受光部４０で直接受光されないような構成であれば、遮光部５０は、設けられていなくてもよい。
【００５４】
測定機器１００は、例えば、以下の特徴を有する。
【００５５】
測定機器１００では、表示部１２２と、人体Ｍおよび表示部１２２に対し光Ｌ１，Ｌ３を照射する発光部３０と、人体からの光Ｌ２を受ける受光部４０と、表示部１２２の駆動を制御する制御部１２４と、を含む。このように、測定機器１００では、人体Ｍに光を照射する光源と、表示部１２２に光を照射する光源と、を別々に設けずに、１つの発光部３０によって人体Ｍおよび表示部１２２に光を照射することができる。したがって、測定機
器１００では、人体Ｍに光を照射する光源と、表示部１２２に光を照射する光源と、を別々に設けている場合に比べて、部品点数を削減することができ、小型化を図ることができる。その結果、製造コストを削減することができる。さらに、測定機器１００では、例えば、低消費電力化を図ることができ、充電頻度を削減することができる。その結果、環境負荷を低減させることができる。
【００５６】
測定機器１００では、発光部３０は、光源３２と、光源３２から出射された光により、光を発する蛍光体３４と、を有する。蛍光体３４で発生した光は、人体Ｍ側およびその反対側に向けて進行する。測定機器１００では、蛍光体３４で発生した光であって、人体Ｍ側とは反外側に向けて進行する光によって、表示部１２２を照射することができる。したがって、測定機器１００では、蛍光体３４で発生した光であって、人体Ｍ側とは反外側に向けて進行する光が無駄になることを抑制することができる。
【００５７】
測定機器１００では、支持基板３６ａには、光源３２から出射された光の一部を透過させ、光源３２から出射された光の一部を反射させる第１膜３６ｂが設けられている。そのため、測定機器１００では、光源３２から出射された光であって、支持部材３６において反射された光を、表示部１２２に照射させることができる。したがって、測定機器１００では、例えば、表示部１２２の輝度を高くすることができる。
【００５８】
測定機器１００では、光源３２から出射された光に対する第１膜３６ｂの反射率は、蛍光体３４で発生した光に対する第１膜３６ｂの反射率よりも高い。そのため、測定機器１００では、光源３２から出射された光に対する第１膜３６ｂの反射率が蛍光体３４で発生した光に対する第１膜３６ｂの反射率よりも低い場合に比べて、光源３２から出射された光によって表示部１２２が照射される光量を、多くすることができる。したがって、測定機器１００では、例えば、表示部１２２の輝度を、より高くすることができる。
【００５９】
測定機器１００では、光源３２は、青色の光を出射し、蛍光体３４は、黄色の光を発生する。そのため、測定機器１００では、光源３２出射された光および蛍光体３４で発生した光によって表示部１２２を照射する場合に、白色光によって表示部１２２を照射することができる。したがって、ユーザーは、例えば、表示部１２２に表示される文字等を視認し易い。
【００６０】
測定機器１００では、発光部３０と受光部４０との間に設けられた遮光部５０を含む。そのため、測定機器１００では、発光部３０から出射された光が、人体Ｍを介さずに直接受光部４０において受光されることを抑制することができる。したがって、測定機器１００では、より正確な脈拍を測定することができる。
【００６１】
測定機器１００では、発光部３０は、発光部３０から出射された光に対して透明な基板２０に設けられ、表示部１２２は、基板２０の発光部３０側とは反対側に設けられている。そのため、測定機器１００では、発光部３０から照射された光は、基板２０を透過して、表示部１２２を照射することができる。
【００６２】
測定機器１００では、発光部３０は、パルス光を出射する。そのため、測定機器１００では、連続的に光を出射する場合に比べて、消費電力を抑えつつ、瞬間的な光の出力を高くすることができる。これにより、消費電力を抑えつつ、人体から得られる生体信号を、瞬間的にノイズに対して相対的に大きくすることができる。
【００６３】
なお、上記では、光源３２から出射された光に対する第１膜３６ｂの反射率（第１反射率）は、蛍光体３４で発生した光に対する第１膜３６ｂの反射率（第２反射率）よりも高い例について説明したが、測定機器１００では、第１反射率は、第２反射率よりも低くて
もよい。第１反射率が第２反射率よりも低いと、第１反射率が第２反射率よりも高い場合に比べて、光源３２から出射された光によって蛍光体３４が照射される光量を、大きくすることができる。例えば、第１膜３６ｂは、光源３２から出射された光に対してＡＲ膜として機能し、蛍光体３４で発生した光に対してハーフミラーとして機能してもよい。
【００６４】
また、上記では、蛍光体３４が黄色の光を発生する場合について説明したが、測定機器１００では、蛍光体３４は、緑色の光を発生してもよい。この場合、蛍光体３４が発する光の波長は、例えば、４９５ｎｍ以上５７０ｎｍ以下である。蛍光体３４の材質は、例えば、Ｅｕ２＋がドープされたサイアロン（ＳｉＡｌＯＮ）などである。緑色の光よりも波長の短い光は、人体Ｍの皮膚の表面付近で散乱されて脈動の検出が困難になる場合がある。緑色の光よりも波長の長い光は、ヘモグロビンの吸収率が小さくなり吸光振幅が小さくなる。したがって、測定機器１００では、蛍光体３４が緑色の光を発生することにより、皮膚の表面付近で散乱を抑制しつつ、ヘモグロビンの吸収率を大きくすることができる。
【００６５】
さらに、青色や赤色の光を出射するＬＥＤは、発光光率が５０％程度であるが、緑色の光を出射する緑色ＬＥＤは、発光光率が２５％程度と低い。測定機器１００では、青色の光を出射する光源３２、および緑色の光を発する蛍光体３４により、発光光率の低い緑色ＬＥＤを用いずに、緑色の光で人体Ｍを照射することができる。
【００６６】
１．２．  測定機器の変形例
次に、第１実施形態の変形例に係る測定機器２００ついて、図面を参照しながら説明する。図７は、第１実施形態の変形例に係る測定機器２００の支持部材３６を模式的に示す断面図である。なお、便宜上、図７では、光源３２、蛍光体３４、および支持部材３６以外の部材の図示を省略している。
【００６７】
以下、第１実施形態の変形例に係る測定機器２００において、上述した第１実施形態に係る測定機器１００の例と異なる点について説明し、同様の点については説明を省略する。
【００６８】
測定機器２００では、図７に示すように、支持部材３６に開口部３８が設けられている点において、上述した測定機器１００と異なる。開口部３８は、第１膜３６ｂを貫通している。
【００６９】
第１膜３６ｂは、例えば、光源３２から出射された光Ｌを反射させる高反射（ＨＲ）膜であり、かつ、蛍光体３４で発生した光を透過させるＡＲ膜である。第２膜３６ｃは、例えば、光源３２から出射された光Ｌ、および蛍光体３４で発生した光を透過させるＡＲ膜である。
【００７０】
光源３２から出射された光Ｌの一部は、開口部３８を通過した後、支持基板３６ａを透過して、蛍光体３４を照射する。光源３２から出射された光Ｌの一部（他の一部、開口部３８を通過した光の一部とは異なる一部）は、第１膜３６ｂにおいて反射し、表示部１２２を照射する。
【００７１】
測定機器２００では、ＨＲ膜である第１膜３６ｂに開口部３８を設けることで、空間的に高反射（ＨＲ）領域と透過領域とを形成している。これにより、全体として、上述の測定機器１００のハーフミラーである第１膜３６ｂと、同様の効果を有することができる。
【００７２】
測定機器２００では、支持部材３６は、光源３２側の第１膜３６ｂを有し、第１膜３６ｂには、開口部３８が設けられている。そのため、測定機器２００では、光源３２から出射された光Ｌであって、開口部３８を通過した後、支持基板３６ａを透過した光により、
蛍光体３４を照射し、光源３２から出射された光Ｌであって、第１膜３６ｂにおいて反射した光によって、表示部１２２を照射することができる。
【００７３】
２．  第２実施形態
次に、第２実施形態に係る測定機器３００ついて、図面を参照しながら説明する。図８は、第２実施形態に係る測定機器３００の機能ブロック図である。図９は、第２実施形態に係る測定機器３００のセンサー部１０を模式的に示す斜視図である。なお、便宜上、図９では、支持部材３６の図示を省略している。
【００７４】
以下、第２実施形態に係る測定機器３００において、上述した第１実施形態に係る測定機器１００の例と異なる点について説明し、同様の点については説明を省略する。
【００７５】
測定機器３００では、図８および図９に示すように、センサー部１０が発光部３３０を含む点において、上述した測定機器１００と異なる。
【００７６】
発光部３３０は、基板２０に設けられている。発光部３３０は、基板２０の第１面２２側に設けられている。発光部３３０は、人体Ｍに光Ｌ４を照射する。制御部１２４は、発光部３０を駆動して光Ｌ４を出射させる。光Ｌ４は、人体Ｍの内部に伝播して散乱したり吸収を受けたりする。センサー部１０は、人体Ｍの内部で散乱された光Ｌ４の一部を光Ｌ５として受光部４０で受光することができる構成となっている。制御部１２４は、例えば、発光部３０，３３０を交互に駆動させて光Ｌ１，Ｌ４を交互に出射させ、受光部４０は、光Ｌ２，Ｌ５を交互に受光する。
【００７７】
発光部３３０は、例えば、赤外線（赤外光）を出射する。発光部３３０から出射される光の波長は、例えば、７５０ｎｍ以上１．４μｍ以下である。発光部３３０は、例えば、ＬＥＤ、レーザーなどの発光素子である。発光部３３０は、人体Ｍにパルス光を照射してもよい。発光部３３０と受光部４０との間には、遮光部５０が設けられている。
【００７８】
発光部３０の蛍光体３４は、例えば、赤色の光を発生する。蛍光体３４から出射される光の波長は、例えば、６２０ｎｍ以上７５０ｎｍ以下である。蛍光体３４の材質は、例えば、Ｅｕ２＋がドープされた（Ｃａ，Ｓｒ）ＡｌＳｉＮ３である。なお、蛍光体３４は、測定機器１００と同様に、黄色の光を発してもよい。
【００７９】
測定機器３００は、ＳｐＯ２（経皮的動脈血酸素飽和度）を測定する。血液中の酸化ヘモグロビンは、血液中の還元ヘモグロビンに比べて、赤色光に対する吸収量が大きい。一方、還元ヘモグロビンは、酸化ヘモグロビンに比べて、赤外光に対する吸収量が大きい。測定機器３００は、光Ｌ２と光Ｌ５との、脈動によって生じる吸収量変化の比率から、ＳｐＯ２値を算出することができる。
【００８０】
制御部１２４は、受光部４０により受光した光Ｌ２，Ｌ５の情報を記憶部１２５に記憶させる。そして、制御部１２４は、光Ｌ２，Ｌ５の情報を出力部１２６で処理させる。出力部１２６は、光Ｌ２，Ｌ５の情報を、ＳｐＯ２値に変換して出力する。制御部１２４は、ＳｐＯ２の情報を表示部１２２に表示させる。
【００８１】
測定機器３００は、上述した測定機器１００と、同様の効果を有することができる。
【００８２】
測定機器３００では、人体Ｍに対し赤色の光を照射する発光部３０と、人体Ｍに対し赤外光を照射する発光部３３０と、を含む。そのため、測定機器３００では、ヘモグロビンの吸収量の変化を利用して、ＳｐＯ２を測定することができる。
【００８３】
測定機器３００では、発光部３０は、赤色の光を発する蛍光体３４を有する。ここで、赤色の光を出射するＬＥＤは、温度特性が悪く、温度によってヘモグロビンの吸収量がばらつく。測定機器３００では、蛍光体３４から発生した赤色の光で人体Ｍを照射するため、上記のような問題を回避することができる。
【００８４】
なお、図示はしないが、測定機器３００は、上述した測定機器２００のように、開口部３８が設けられた支持部材３６を含んでいてもよい。
【００８５】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００８６】
１０…センサー部、２０…基板、２２…第１面、２４…第２面、３０…発光部、３２…光源、３４…蛍光体、３６…支持部材、３６ａ…支持基板、３６ｂ…第１膜、３６ｃ…第２膜、３６ｄ…支持基板、３８…開口部、４０…受光部、５０…遮光部、６０…光学素子、１００…測定機器、１１０…ベルト、１２０…本体ケース、１２２…表示部、１２３…操作ボタン、１２４…制御部、１２５…記憶部、１２６…出力部、１２７…通信部、２００，３００…測定機器、３３０…発光部
【図１】
2019010144.tif 000003
【図２】
2019010144.tif 000004
【図３】
2019010144.tif 000005
【図４】
2019010144.tif 000006
【図５】
2019010144.tif 000007
【図６】
2019010144.tif 000008
【図７】
2019010144.tif 000009
【図８】
2019010144.tif 000010
【図９】
2019010144.tif 000011